(57)【要約】【課題】画像サイズを変更した場合に、適切な状態でスクリーンに投射画像を表示することができるプロジェクタの提供。【解決手段】プロジェクタ１は、スクリーンＳｃに表示される投射画像のズーム状態を調整するズームレンズ２６と、ズームレンズ２６により調整されるズーム状態を検出するズーム検出装置２８と、制御装置３を備える。制御装置３は、ズーム検出装置２８に、ズーム状態を検出させるとともに、検出されたズーム状態に基づいて、投射画像のサイズを取得する画像サイズ取得手段３２と、画像サイズ取得手段３２により取得される投射画像のサイズに基づいてエッジ強調フィルタを生成するエッジ強調フィルタ生成手段３３と、画像データに、エッジ強調フィルタ生成手段３３により生成されたエッジ強調フィルタに基づく画像処理を実施する画質調整部３４２とを備える。【選択図】図１
2008205814.tif 000002
【特許請求の範囲】
【請求項１】
光源装置と、前記光源装置から射出される光を画像情報に応じて変調して光学像を形成する光変調装置と、形成された光学像をスクリーンに拡大投射する投射光学装置と、前記各装置を制御する制御装置とを備えるプロジェクタであって、
前記スクリーンに表示される投射画像のズーム状態を調整するズーム調整装置と、
前記ズーム状態を検出するズーム検出装置とを備え、
前記制御装置は、
前記ズーム検出装置により検出されるズーム状態に応じて前記画像情報におけるエッジ部分を補正するエッジ補正手段とを備えることを特徴とするプロジェクタ。
【請求項２】
請求項１に記載のプロジェクタにおいて、
前記投射画像のフォーカス状態を調整するフォーカス調整装置と、
前記フォーカス状態を検出するフォーカス検出装置とを備え、
前記エッジ補正手段は、前記ズーム検出装置により検出されるズーム状態および前記フォーカス検出装置により検出されるフォーカス状態に応じて前記画像情報におけるエッジ部分を補正することを特徴とするプロジェクタ。
【請求項３】
請求項１に記載のプロジェクタにおいて、
前記投射光学装置から前記スクリーンまでの投射距離を検出する距離検出装置を備え、
前記エッジ補正手段は、前記ズーム検出装置により検出されるズーム状態および前記距離検出装置により検出される投射距離に応じて前記画像情報におけるエッジ部分を補正することを特徴とするプロジェクタ。
【請求項４】
光源装置と、前記光源装置から射出される光を画像情報に応じて変調して光学像を形成する光変調装置と、形成された光学像をスクリーンに拡大投射する投射光学装置と、前記各装置を制御する制御装置とを備えるプロジェクタであって、
前記制御装置により制御され、前記スクリーンに表示される投射画像を撮像する撮像装置を備え、
前記制御装置は、
前記撮像装置により撮像される撮像画像に基づいて前記投射画像のサイズを算出する画像サイズ算出手段と、
前記画像サイズ算出手段により算出される前記投射画像のサイズに応じて前記画像情報におけるエッジ部分を補正するエッジ補正手段とを備えることを特徴とするプロジェクタ。
【請求項５】
請求項４に記載のプロジェクタにおいて、
前記画像サイズ算出手段は、
前記撮像装置により撮像される撮像画像において、前記投射画像に対応する対応画像を認識する対応画像認識部と、
前記対応画像の中心位置を算出する中心位置算出部と、
前記撮像画像全体の中心位置と、前記中心位置算出部により算出される前記対応画像の中心位置との偏差を算出する偏差算出部と、
前記偏差算出部により算出される偏差に基づいて、前記投射光学装置から前記スクリーンまでの投射距離を検出する距離検出部と、
前記対応画像の面積を算出する面積算出部と、
前記距離検出部により検出される投射距離と、前記面積算出部により算出される前記対応画像の面積とに基づいて前記投射画像のサイズを算出するサイズ算出部とを備えることを特徴とするプロジェクタ。
【請求項６】
請求項１から請求項５のいずれかに記載のプロジェクタにおいて、
前記エッジ補正手段は、前記画像情報におけるエッジ部分を強調させるためのエッジ強調フィルタの定数を、前記ズーム検出装置により検出されるズーム状態または前記画像サイズ算出手段により算出される前記投射画像のサイズに応じて変更し、当該定数の変更されたエッジ強調フィルタにて前記画像情報におけるエッジ部分を補正することを特徴とするプロジェクタ。
【請求項７】
請求項１から請求項５のいずれかに記載のプロジェクタにおいて、
前記エッジ補正手段は、前記画像情報におけるエッジ部分を平滑化させるための平滑化フィルタの定数を、前記ズーム検出装置により検出されるズーム状態または前記画像サイズ算出手段により算出される前記投射画像のサイズに応じて変更し、当該定数の変更された平滑化フィルタにて前記画像情報におけるエッジ部分を補正することを特徴とするプロジェクタ。
【請求項８】
請求項１から請求項７のいずれかに記載のプロジェクタにおいて、
前記光源装置から射出される光の光量を調整する光量調整装置を備え、
前記制御装置は、
前記ズーム検出装置により検出されるズーム状態または前記画像サイズ算出手段により算出される前記投射画像のサイズに応じて前記光量調整装置に前記光源装置から射出される光の光量を調整させる光量制御手段を備えることを特徴とするプロジェクタ。
【請求項９】
光源装置と、前記光源装置から射出される光を画像情報に応じて変調して光学像を形成する光変調装置と、形成された光学像をスクリーンに拡大投射する投射光学装置と、前記各装置を制御する制御装置とを備えるプロジェクタの画像補正方法であって、
前記スクリーンに表示される投射画像のズーム状態を検出するズーム検出ステップと、
前記ズーム検出ステップにより検出されるズーム状態に応じて前記画像情報におけるエッジ部分を補正するエッジ補正ステップとを実行することを特徴とする画像補正方法。
【請求項１０】
光源装置と、前記光源装置から射出される光を画像情報に応じて変調して光学像を形成する光変調装置と、形成された光学像をスクリーンに拡大投射する投射光学装置と、前記各装置を制御する制御装置とを備えるプロジェクタの画像補正方法であって、
前記スクリーンに表示される投射画像を撮像する撮像ステップと、
前記撮像ステップにより撮像される撮像画像に基づいて前記投射画像のサイズを算出する画像サイズ算出ステップと、
前記画像サイズ算出ステップにより算出される前記投射画像のサイズに応じて前記画像情報におけるエッジ部分を補正するエッジ補正ステップとを実行することを特徴とする画像補正方法。
【発明の詳細な説明】
【技術分野】
【０００１】
本発明は、プロジェクタおよび当該プロジェクタの画像補正方法に関する。
【背景技術】
【０００２】
従来、光源から射出された光を画像情報に応じて変調して光学像を形成し、形成された光学像をスクリーンに拡大投射して画像を表示するプロジェクタが知られている。
このようなプロジェクタでは、スクリーンに表示される投射画像のサイズを変更するために、ズーム状態を調整可能に構成されている（例えば、特許文献１参照）。
特許文献１に記載のプロジェクタでは、投射レンズに設けられたレバーを操作することによりズーム状態を手動で調整可能に構成されている。
【０００３】
【特許文献１】特開２００３−２１５７０２号公報
【発明の開示】
【発明が解決しようとする課題】
【０００４】
しかしながら、特許文献１に記載のプロジェクタでは、光源から射出する光の光量は変わらないので、ズーム状態を調整することにより投射画像のサイズを大きくすると、拡大投射される光学像の照度が低くなり画像がぼやける。一方、ズーム状態を調整することにより投射画像のサイズを小さくすると、拡大投射される光学像の照度が高くなり画像が鮮明になりすぎる。したがって、ズーム状態を調整することにより投射画像のサイズを変更した場合に、適切な状態でスクリーンに投射画像が表示されないという問題がある。
また、この問題は、スクリーンをプロジェクタに対して近接または離間させることにより投射画像のサイズを変更する場合においても同様である。
【０００５】
本発明の目的は、投射画像のサイズを変更した場合に、適切な状態でスクリーンに投射画像を表示することができるプロジェクタおよび当該プロジェクタの画像補正方法を提供することにある。
【課題を解決するための手段】
【０００６】
本発明のプロジェクタは、光源装置と、前記光源装置から射出される光を画像情報に応じて変調して光学像を形成する光変調装置と、形成された光学像をスクリーンに拡大投射する投射光学装置と、前記各装置を制御する制御装置とを備えるプロジェクタであって、前記スクリーンに表示される投射画像のズーム状態を調整するズーム調整装置と、前記ズーム状態を検出するズーム検出装置とを備え、前記制御装置は、前記ズーム検出装置により検出されるズーム状態に応じて前記画像情報におけるエッジ部分を補正するエッジ補正手段とを備えることを特徴とする。
【０００７】
ここで、投射画像のサイズは、投射画像のズーム状態、すなわち、投射光学装置（投射レンズ）の光学特性に応じたズーム比と、投射光学装置からスクリーンまでの投射距離とにより求めることができる。また、一般的に投射画像のズーム状態は、プロジェクタと、スクリーンとの位置関係が固定された状態で調整されるものである。このため、投射画像のサイズを大きくするようにズーム状態を調整した場合には、投射画像のサイズは大きくなり、投射画像のサイズを小さくするようにズーム状態を調整した場合には、投射画像のサイズは小さくなるといえる。
【０００８】
したがって、このような構成によれば、エッジ補正手段は、ズーム状態に応じて画像情報におけるエッジ部分を補正するので、例えば、投射画像のサイズを大きくするようにズーム状態を調整した場合に、拡大投射される光学像の照度が低くなり画像がぼやけていても、画像情報におけるエッジ部分を強調させることにより、全体としてバランスが取れた適切な状態でスクリーンに投射画像を表示することができる。一方、投射画像のサイズを小さくするようにズーム状態を調整した場合に、拡大投射される光学像の照度が高くなり画像が鮮明になりすぎていても、画像情報におけるエッジ部分を平滑化させることにより、全体としてバランスが取れた適切な状態でスクリーンに投射画像を表示することができる。
【０００９】
本発明では、前記投射画像のフォーカス状態を調整するフォーカス調整装置と、前記フォーカス状態を検出するフォーカス検出装置とを備え、前記エッジ補正手段は、前記ズーム検出装置により検出されるズーム状態および前記フォーカス検出装置により検出されるフォーカス状態に応じて前記画像情報におけるエッジ部分を補正することが好ましい。
【００１０】
このような構成によれば、プロジェクタは、ズーム検出装置と、フォーカス検出装置とを備えるので、投射画像のフォーカスが合わされている場合には、フォーカス検出装置により検出されるフォーカス状態により投射光学装置からスクリーンまでの投射距離を求めることができる。したがって、プロジェクタと、スクリーンとの位置関係が固定されていないような場合であっても、ズーム検出装置により検出されるズーム状態と、フォーカス検出装置により検出されるフォーカス状態とに基づいて、投射画像のサイズを検出することができる。ここで、プロジェクタと、スクリーンとの位置関係が固定されていないような場合とは、例えば、外出先でプレゼンテーションを行う場合など、プロジェクタをスクリーンに対して使用の都度設置するためプロジェクタとスクリーンとの位置関係が使用の都度変化するような場合をいう。
したがって、エッジ補正手段は、投射画像のサイズに応じて画像情報におけるエッジ部分を補正することができるので、全体としてバランスが取れた適切な状態でスクリーンに投射画像を表示することができる。
【００１１】
本発明では、前記投射光学装置から前記スクリーンまでの投射距離を検出する距離検出装置を備え、前記エッジ補正手段は、前記ズーム検出装置により検出されるズーム状態および前記距離検出装置により検出される投射距離に応じて前記画像情報におけるエッジ部分を補正することが好ましい。
【００１２】
このような構成によれば、プロジェクタは、距離検出装置を備えるので、投射光学装置からスクリーンまでの投射距離を検出することができる。これにより、プロジェクタと、スクリーンとの位置関係が固定されていないような場合であっても、投射画像のサイズを検出することができる。したがって、エッジ補正手段は、投射画像のサイズに応じて画像情報におけるエッジ部分を補正することができるので、全体としてバランスが取れた適切な状態でスクリーンに投射画像を表示することができる。
【００１３】
本発明のプロジェクタは、光源装置と、前記光源装置から射出される光を画像情報に応じて変調して光学像を形成する光変調装置と、形成された光学像をスクリーンに拡大投射する投射光学装置と、前記各装置を制御する制御装置とを備えるプロジェクタであって、前記制御装置により制御され、前記スクリーンに表示される投射画像を撮像する撮像装置を備え、前記制御装置は、前記撮像装置により撮像される撮像画像に基づいて前記投射画像のサイズを算出する画像サイズ算出手段と、前記画像サイズ算出手段により算出される前記投射画像のサイズに応じて前記画像情報におけるエッジ部分を補正するエッジ補正手段とを備えることを特徴とする。
【００１４】
このような構成によれば、画像サイズ算出手段は、撮像装置により撮像される撮像画像に基づいて投射画像のサイズを算出するので、プロジェクタと、スクリーンとの位置関係が固定されていないような場合であっても、投射画像のサイズを検出することができる。したがって、エッジ補正手段は、投射画像のサイズに応じて画像情報におけるエッジ部分を補正することができるので、全体としてバランスが取れた適切な状態でスクリーンに投射画像を表示することができる。
【００１５】
本発明では、前記画像サイズ算出手段は、前記撮像装置により撮像される撮像画像において、前記投射画像に対応する対応画像を認識する対応画像認識部と、前記対応画像の中心位置を算出する中心位置算出部と、前記撮像画像全体の中心位置と、前記中心位置算出部により算出される前記対応画像の中心位置との偏差を算出する偏差算出部と、前記偏差算出部により算出される偏差に基づいて、前記投射光学装置から前記スクリーンまでの投射距離を検出する距離検出部と、前記対応画像の面積を算出する面積算出部と、前記距離検出部により検出される投射距離と、前記面積算出部により算出される前記対応画像の面積とに基づいて前記投射画像のサイズを算出するサイズ算出部とを備えることが好ましい。
【００１６】
このような構成によれば、プロジェクタは、撮像装置を備えているので、プロジェクタと、撮像装置との位置関係は固定される。ここで、撮像装置により撮像される撮像画像全体の中心位置と、撮像画像において、投射画像に対応する対応画像の中心位置との偏差は、投射光学装置からスクリーンまでの投射距離が離れているほど小さくなる比例関係にあるので、距離検出部は、この偏差に基づいて投射距離を検出することができる。
また、投射距離を検出することにより、撮像画像における１画素あたりのサイズを算出することができるので、サイズ算出部は、面積算出部により算出される対応画像の面積に基づいて投射画像のサイズを算出することができる。
【００１７】
本発明では、前記エッジ補正手段は、前記画像情報におけるエッジ部分を強調させるためのエッジ強調フィルタの定数を、前記ズーム検出装置により検出されるズーム状態または前記画像サイズ算出手段により算出される前記投射画像のサイズに応じて変更し、当該定数の変更されたエッジ強調フィルタにて前記画像情報におけるエッジ部分を補正することが好ましい。
【００１８】
このような構成によれば、例えば、投射画像のサイズが大きくなるに従って、画像情報におけるエッジ部分を強調する度合いが大きくなるように、エッジ強調フィルタの定数を変更させることにより、全体として更にバランスが取れた適切な状態でスクリーンに投射画像を表示することができる。
【００１９】
本発明では、前記エッジ補正手段は、前記画像情報におけるエッジ部分を平滑化させるための平滑化フィルタの定数を、前記ズーム検出装置により検出されるズーム状態または前記画像サイズ算出手段により算出される前記投射画像のサイズに応じて変更し、当該定数の変更された平滑化フィルタにて前記画像情報におけるエッジ部分を補正することが好ましい。
【００２０】
このような構成によれば、例えば、投射画像のサイズが大きくなるに従って、画像情報におけるエッジ部分を平滑化する度合いが小さくなるように、平滑化フィルタの定数を変更させることにより、全体として更にバランスが取れた適切な状態でスクリーンに投射画像を表示することができる。
【００２１】
本発明では、前記光源装置から射出される光の光量を調整する光量調整装置を備え、前記制御装置は、前記ズーム検出装置により検出されるズーム状態または前記画像サイズ算出手段により算出される前記投射画像のサイズに応じて前記光量調整装置に前記光源装置から射出される光の光量を調整させる光量制御手段を備えることが好ましい。
【００２２】
このような構成によれば、プロジェクタは、光量制御手段を備えるので、例えば、投射画像のサイズを大きくした場合に、拡大投射される光学像の照度が低くなり画像がぼやけていても、光源装置から射出される光の光量を大きくさせることにより、全体としてバランスが取れた適切な状態でスクリーンに投射画像を表示することができる。一方、投射画像のサイズを小さくした場合に、拡大投射される光学像の照度が高くなり画像が鮮明になりすぎていても、光源装置から射出される光の光量を小さくさせることにより、全体としてバランスが取れた適切な状態でスクリーンに投射画像を表示することができる。
【００２３】
本発明のプロジェクタの画像補正方法は、光源装置と、前記光源装置から射出される光を画像情報に応じて変調して光学像を形成する光変調装置と、形成された光学像をスクリーンに拡大投射する投射光学装置と、前記各装置を制御する制御装置とを備えるプロジェクタの画像補正方法であって、前記スクリーンに表示される投射画像のズーム状態を検出するズーム検出ステップと、前記ズーム検出ステップにより検出されるズーム状態に応じて前記画像情報におけるエッジ部分を補正するエッジ補正ステップとを実行することを特徴とする。
【００２４】
このような構成によれば、前述したプロジェクタの作用および効果と同様の作用および効果を享受することができる。
【００２５】
本発明のプロジェクタの画像補正方法は、光源装置と、前記光源装置から射出される光を画像情報に応じて変調して光学像を形成する光変調装置と、形成された光学像をスクリーンに拡大投射する投射光学装置と、前記各装置を制御する制御装置とを備えるプロジェクタの画像補正方法であって、前記スクリーンに表示される投射画像を撮像する撮像ステップと、前記撮像ステップにより撮像される撮像画像に基づいて前記投射画像のサイズを算出する画像サイズ算出ステップと、前記画像サイズ算出ステップにより算出される前記投射画像のサイズに応じて前記画像情報におけるエッジ部分を補正するエッジ補正ステップとを実行することを特徴とする。
【００２６】
このような構成によれば、前述したプロジェクタの作用および効果と同様の作用および効果を享受することができる。
【発明を実施するための最良の形態】
【００２７】
以下、本発明の一実施形態を図面に基づいて説明する。
〔第１実施形態〕
〔プロジェクタの構成〕
図１は、プロジェクタ１の概略構成を示すブロック図である。
プロジェクタ１は、光源から射出された光を画像データ（画像情報）に応じて変調して光学像を形成し、形成された光学像をスクリーンＳｃに拡大投射するものであり、図１に示すように、画像投射装置２と、制御装置３とで大略構成されている。
【００２８】
画像投射装置２は、図１に示すように、光源装置２１と、光変調装置としての液晶パネル２２と、投射光学装置２３とを備える。
光源装置２１は、光を液晶パネル２２に向けて射出するものであり、高圧放電ランプにて構成される光源ランプ２４と、ランプドライバ２５とを備える。
光量調整装置としてのランプドライバ２５は、制御装置３からの制御信号に基づいて、駆動電圧を印加して光源ランプ２４を駆動する。なお、光源ランプ２４は、ランプドライバ２５により印加される駆動電圧を調整することにより、射出する光の光量を調整することができる。
なお、光源装置２１は、発光ダイオード、レーザダイオード、有機ＥＬ素子、シリコン発光素子等の各種自己発光素子を採用してもよい。
【００２９】
液晶パネル２２は、透過型の液晶パネルであり、液晶セル（図示略）に封入された液晶分子の配列を変化させ、光源ランプ２４から射出された光を、透過若しくは遮断することにより画像データに応じて変調して光学像を形成し、この光学像を投射光学装置２３に射出する。
投射光学装置２３は、筒状の鏡筒（図示略）内にズームレンズ２６およびフォーカスレンズ２７を含む複数のレンズが収納された組レンズとして構成され、液晶パネル２２から射出された光学像をスクリーンＳｃに向けて拡大投射するものであり、スクリーンＳｃには、射出された光学像に基づく投射画像が表示される。
【００３０】
ズーム調整装置としてのズームレンズ２６は、図示しないズームリングにより支持され、このズームリングをズームレンズ２６の光軸を回転中心として回転させることにより、鏡筒内を光軸方向に移動する。これにより、ズームレンズ２６は、スクリーンＳｃに表示される投射画像のズーム状態を調整する。具体的には、ズームレンズ２６を液晶パネル２２側に移動させることにより、スクリーンＳｃに表示される画像が大きくなるように調整することができ、スクリーンＳｃ側に移動させることにより、スクリーンＳｃに表示される画像が小さくなるように調整することができる。
フォーカス調整装置としてのフォーカスレンズ２７は、図示しないフォーカスリングにより支持され、このフォーカスリングをフォーカスレンズ２７の光軸を回転中心として回転させることにより、鏡筒内を光軸方向に移動する。これにより、フォーカスレンズ２７は、スクリーンＳｃに表示される投射画像のフォーカス状態を調整する。
【００３１】
また、投射光学装置２３は、図１に示すように、ズームレンズ２６により調整されるズーム状態を検出するズーム検出装置２８と、フォーカスレンズ２７により調整されるフォーカス状態を検出するフォーカス検出装置２９とを備える。
ズーム検出装置２８およびフォーカス検出装置２９は、例えば、ロータリーエンコーダ等により構成され、このロータリーエンコーダ等でズームリングおよびフォーカスリングの回転量を検出することによりズーム状態およびフォーカス状態を検出する。
【００３２】
なお、プロジェクタ１は、操作ボタンや、リモートコントローラなどの操作手段（図示略）を備えている。そして、プロジェクタ１の使用者は、この操作手段を操作することにより、ズームリングを回転させてズームレンズ２６を投射光学装置２３の光軸に対して進退させることができ、スクリーンＳｃに表示される投射画像のズーム状態を調整することができる。また、プロジェクタ１の使用者は、この操作手段を操作することにより、フォーカスリングを回転させてフォーカスレンズ２７を投射光学装置２３の光軸に対して進退させることができ、スクリーンＳｃに表示される投射画像のフォーカス状態を調整することができる。さらに、プロジェクタ１の使用者は、この操作手段を操作することにより、後述するプロジェクタ１の画像補正方法を実施するか否かの設定をすることができる。
【００３３】
また、図示は省略したが、プロジェクタ１は、ＲＧＢの３色に対応する３枚の液晶パネル２２を備えている。また、光源装置２１は、光源ランプ２４から射出される光を３色の光に分離する色光分離光学系を備えている。さらに、投射光学装置２３は、３色の光学像を合成してカラー画像を表す光学像を生成する合成光学系を有している。なお、このような光学系の構成については、種々の一般的なプロジェクタの光学系の構成が利用可能である。
【００３４】
制御装置３は、例えば、ＣＰＵ（Central Processing Unit）等を含んで構成され、プロジェクタ１全体を制御するものであり、図１に示すように、メインメモリ３１と、画像サイズ取得手段３２と、エッジ強調フィルタ生成手段３３と、画像処理手段３４と、光量制御手段３５とを備える。これら各構成要素３１〜３５は、図示しないバスにより接続され、必要な情報が伝送可能に構成されている。
【００３５】
メインメモリ３１は、制御装置３で所定の処理を実行するためのプログラムやデータ等を記憶する。
例えば、メインメモリ３１には、ズームレンズ２６により調整されるズーム状態およびフォーカスレンズ２７により調整されるフォーカス状態と、スクリーンＳｃに表示される投射画像のサイズとが関連付けられた投射画像サイズ情報が記憶されている。
【００３６】
さらに、例えば、メインメモリ３１には、投射画像のサイズと、後述するエッジ強調フィルタ生成手段３３により生成されるエッジ強調フィルタの定数とが関連付けられたエッジ強調フィルタ定数情報が記憶されている。なお、画像データにおけるエッジ部分を強調させるためのエッジ強調フィルタとしては、ラプラシアンフィルタを利用したエッジ強調フィルタなどを例示することができる。
また、エッジ強調フィルタ定数情報は、スクリーンＳｃに表示される投射画像のサイズが大きくなるに従って、画像データにおけるエッジ部分を強調する度合いが大きくなるように関連付けられている。
【００３７】
画像サイズ取得手段３２は、ズーム検出装置２８に、ズームレンズ２６により調整されるズーム状態を検出させるとともに、フォーカス検出装置２９に、フォーカスレンズ２７により調整されるフォーカス状態を検出させる。そして、画像サイズ取得手段３２は、ズーム状態およびフォーカス状態に基づいて、メインメモリ３１に記憶された投射画像サイズ情報にて関連付けられた投射画像のサイズを取得する。
エッジ強調フィルタ生成手段３３は、画像サイズ取得手段３２により取得される投射画像のサイズに基づいて、メインメモリ３１に記憶されたエッジ強調フィルタ定数情報にて関連付けられたエッジ強調フィルタの定数を取得し、取得された定数に基づくエッジ強調フィルタを生成する。
【００３８】
画像処理手段３４は、例えば、ＧＰＵ(Graphics Processor Unit)等を含んで構成され、画像処理を実施するものであり、画像生成部３４１と、画質調整部３４２と、ビデオメモリ３４３とを備える。
画像生成部３４１は、入力される画像データ信号をサンプリングしてフレーム単位の画像データを生成する。
なお、画像データ信号は、プロジェクタ１の接続端子（図示略）を介してＰＣ（Personal Computer）等から外部入力させてもよく、さらには、ＤＶＤ（Digital Versatile Disk）再生装置等を内蔵したプロジェクタにあっては、内部バスを介して入力させてもよい。
【００３９】
画質調整部３４２は、画像生成部３４１により生成された画像データに、エッジ強調フィルタ生成手段３３により生成されたエッジ強調フィルタに基づく画像処理を実施する。そして、画質調整部３４２は、画像処理された画像データを、ビデオメモリ３４３に記憶させる。
そして、画像処理手段３４は、ビデオメモリ３４３に記憶された画像データを画像投射装置２に出力し、画像投射装置２は、ビデオメモリ３４３に記憶された画像データに基づく光学像を形成してスクリーンＳｃに拡大投射する。
なお、本実施形態では、エッジ補正手段は、エッジ強調フィルタ生成手段３３、および画質調整部３４２により構成されている。すなわち、エッジ補正手段は、ズーム検出装置２８により検出されるズーム状態に応じて画像データにおけるエッジ部分を補正する。
【００４０】
光量制御手段３５は、画像サイズ取得手段３２により取得される投射画像のサイズが大きくなると、光源装置２１から射出される光の光量を大きくさせる制御信号をランプドライバ２５に出力する。一方、光量制御手段３５は、画像サイズ取得手段３２により取得される投射画像のサイズが小さくなると、光源装置２１から射出される光の光量を小さくさせる制御信号をランプドライバ２５に出力する。
そして、ランプドライバ２５は、光量制御手段３５から出力される制御信号に基づいて光源ランプ２４に印加する駆動電圧を調整することにより、光源ランプ２４から射出される光の光量を調整する。すなわち、光量制御手段３５は、ズーム検出装置２８により検出されるズーム状態に応じて光源装置２１から射出される光の光量を調整させる。
【００４１】
〔プロジェクタの画像補正方法〕
次に、プロジェクタ１の画像補正方法について、図２を参照して説明する。
図２は、プロジェクタ１の画像補正方法を示すフローチャートである。
プロジェクタ１の使用者により、操作手段の操作ボタン等が操作され、メニュー画面等から本発明の画像補正方法を実施する旨の設定が行われた場合には、プロジェクタ１は、以下のステップＳ１〜Ｓ６を実行する。
まず、プロジェクタ１の使用者により、操作手段の操作ボタン等が操作され、スクリーンＳｃに表示される画像のズーム状態およびフォーカス状態が調整されると、ズームレンズ２６およびフォーカスレンズ２７は、鏡筒内を光軸に対して進退する（ステップＳ１）。
ズームレンズ２６およびフォーカスレンズ２７が進退すると、画像サイズ取得手段３２は、ズーム検出装置２８およびフォーカス検出装置２９にズーム状態およびフォーカス状態を検出させる（ステップＳ２：ズーム検出ステップ）。
【００４２】
ズーム状態およびフォーカス状態が検出されると、画像サイズ取得手段３２は、このズーム状態およびフォーカス状態に基づいて、メインメモリ３１に記憶された投射画像サイズ情報にて関連付けられた投射画像のサイズを取得する（ステップＳ３）。
画像サイズ取得手段３２により投射画像のサイズが取得されると、エッジ強調フィルタ生成手段３３は、この投射画像のサイズに基づいて、メインメモリ３１に記憶されたエッジ強調フィルタ定数情報にて関連付けられたエッジ強調フィルタの定数を取得し、取得された定数に基づくエッジ強調フィルタを生成する（ステップＳ４：エッジ補正ステップ）。
【００４３】
エッジ強調フィルタ生成手段３３によりエッジ強調フィルタが生成されると、画質調整部３４２は、画像生成部３４１により生成された画像データに、このエッジ強調フィルタに基づく画像処理を実施する（ステップＳ５：エッジ補正ステップ）。
画質調整部３４２により画像処理が実施されると、光量制御手段３５は、ランプドライバ２５に、画像サイズ取得手段３２により取得される投射画像のサイズに応じた制御信号を出力して光源装置２１から射出される光の光量を調整させる（ステップＳ６）。
以上の各ステップを実行することにより、スクリーンＳｃに表示される投射画像のサイズが大きくなるに従って、画像データにおけるエッジ部分を強調する度合いが大きくなり、かつ、光源装置２１から射出される光の光量が大きくなるので、プロジェクタ１は、適切な状態でスクリーンＳｃに画像を表示することができる。
【００４４】
本実施形態に係るプロジェクタ１によれば、次のような効果がある。
（１）エッジ補正手段は、ズーム検出装置２８により検出されるズーム状態に応じて画像データにおけるエッジ部分を補正するので、全体としてバランスが取れた適切な状態でスクリーンＳｃに投射画像を表示することができる。
（２）プロジェクタ１は、ズーム検出装置２８と、フォーカス検出装置２９とを備えるので、投射画像のフォーカスが合わされている場合には、フォーカス検出装置２９により検出されるフォーカス状態により投射光学装置２３からスクリーンＳｃまでの投射距離を求めることができる。したがって、スクリーンＳｃとの位置関係が固定されていないような場合であっても、ズーム検出装置２８により検出されるズーム状態と、フォーカス検出装置２９により検出されるフォーカス状態とに基づいて、投射画像のサイズを検出することができる。
【００４５】
（３）エッジ補正手段は、投射画像のサイズが大きくなるに従って、画像データにおけるエッジ部分を強調する度合いが大きくなるように、エッジ強調フィルタの定数を変更させるので、全体として更にバランスが取れた適切な状態でスクリーンＳｃに投射画像を表示することができる。
（４）光量制御手段３５は、画像サイズ取得手段３２により取得される投射画像のサイズが大きくなると、光源装置２１から射出される光の光量を大きくさせ、投射画像のサイズが小さくなると、光源装置２１から射出される光の光量を小さくさせるので、全体としてバランスが取れた適切な状態でスクリーンＳｃに画像を表示することができる。
【００４６】
〔第２実施形態〕
本発明の第２実施形態に係るプロジェクタ１Ａについて説明する。
なお、以下の説明では、既に説明した部分については、同一符号を付してその説明を省略する。
前記第１実施形態に係るプロジェクタ１は、エッジ強調フィルタ生成手段３３を備え、メインメモリ３１には、投射画像のサイズと、エッジ強調フィルタ生成手段３３により生成されるエッジ強調フィルタの定数とが関連付けられたエッジ強調フィルタ定数情報が記憶されていた。
これに対して、本実施形態に係るプロジェクタ１Ａは、図３に示すように、平滑化フィルタ生成手段３６を備え、メインメモリ３１には、投射画像のサイズと、平滑化フィルタ生成手段３６により生成される平滑化フィルタの定数とが関連付けられた平滑化フィルタ定数情報が記憶されている点で異なる。
【００４７】
なお、画像データにおけるエッジ部分を平滑化させるための平滑化フィルタとしては、メディアンフィルタを利用した平滑化フィルタなどを例示することができる。
また、平滑化フィルタ定数情報は、スクリーンＳｃに表示される投射画像のサイズが大きくなるに従って、画像データにおけるエッジ部分を平滑化する度合いが小さくなるように関連付けられている。
【００４８】
図３は、プロジェクタ１Ａの概略構成を示すブロック図である。
平滑化フィルタ生成手段３６は、画像サイズ取得手段３２により取得される投射画像のサイズに基づいて、メインメモリ３１に記憶された平滑化フィルタ定数情報にて関連付けられた平滑化フィルタの定数を取得し、取得された定数に基づく平滑化フィルタを生成する。
そして、画質調整部３４２Ａは、画像生成部３４１により生成された画像データに、平滑化フィルタ生成手段３６により生成された平滑化フィルタに基づく画像処理を実施する。
なお、本実施形態では、エッジ補正手段は、平滑化フィルタ生成手段３６、および画質調整部３４２Ａにより構成されている。
【００４９】
次に、プロジェクタ１Ａの画像補正方法について、図４を参照して説明する。
図４は、プロジェクタ１Ａの画像補正方法を示すフローチャートである。
まず、プロジェクタ１Ａは、前記第１実施形態におけるプロジェクタ１と同様にステップＳ１〜Ｓ３を実行する。
そして、画像サイズ取得手段３２により投射画像のサイズが取得されると、平滑化フィルタ生成手段３６は、この投射画像のサイズに基づいて、メインメモリ３１に記憶された平滑化フィルタ定数情報にて関連付けられた平滑化フィルタの定数を取得し、取得された定数に基づく平滑化フィルタを生成する（ステップＳ１４：エッジ補正ステップ）。
【００５０】
平滑化フィルタ生成手段３６により平滑化フィルタが生成されると、画質調整部３４２Ａは、画像生成部３４１により生成された画像データに、この平滑化フィルタに基づく画像処理を実施する（ステップＳ１５：エッジ補正ステップ）。
そして、プロジェクタ１Ａは、プロジェクタ１と同様にステップＳ６を実行する。
以上の各ステップを実行することにより、スクリーンＳｃに表示される投射画像のサイズが大きくなるに従って、画像データにおけるエッジ部分を平滑化する度合いが小さくなり、かつ、光源装置２１から射出される光の光量が大きくなるので、プロジェクタ１Ａは、適切な状態でスクリーンＳｃに画像を表示することができる。
【００５１】
このような本実施形態においても、前記第１実施形態の（１）、（２）、（４）と同様の作用、効果を得ることができる他、以下の作用、効果を奏することができる。
すなわち、エッジ補正手段は、投射画像のサイズが大きくなるに従って、画像データにおけるエッジ部分を平滑化する度合いが小さくなるように、平滑化フィルタの定数を変更させるので、全体として更にバランスが取れた適切な状態でスクリーンＳｃに投射画像を表示することができる。
【００５２】
〔第３実施形態〕
本発明の第３実施形態に係るプロジェクタ１Ｂについて説明する。
前記第１実施形態および第２実施形態に係るプロジェクタ１，１Ａは、フォーカスレンズ２７およびフォーカス検出装置２９を備え、画像サイズ取得手段３２は、ズーム検出装置２８により検出されるズーム状態およびフォーカス検出装置２９により検出されるフォーカス状態に基づいて投射画像のサイズを取得していた。
これに対して、プロジェクタ１Ｂは、図５に示すように、投射光学装置２３からスクリーンＳｃまでの投射距離を検出する距離検出装置４と、画像サイズ取得手段３２Ｂとを備え、画像サイズ取得手段３２Ｂは、ズーム検出装置２８により検出されるズーム状態および距離検出装置４により検出される投射距離に基づいて投射画像のサイズを取得している点で異なる。
【００５３】
図５は、プロジェクタ１Ｂの概略構成を示すブロック図である。
距離検出装置４は、超音波を送受信する送信器および受信器から構成され、送信器から送信された超音波が、物体において反射し、受信器にて受信されるまでの時間を測定することにより物体までの距離を測定するセンサであり、投射光学装置２３の投射方向にある物体までの距離を検出する位置に設けられている。すなわち、距離検出装置４は、投射光学装置２３からスクリーンＳｃまでの投射距離を検出することができる。なお、超音波により距離を検出するセンサに限らず、例えば、赤外線などにより距離を検出するセンサを採用してもよい。
【００５４】
画像サイズ取得手段３２Ｂは、ズーム検出装置２８に、ズームレンズ２６により調整されるズーム状態を検出させるとともに、距離検出装置４に、投射光学装置２３からスクリーンＳｃまでの投射距離を検出させる。そして、画像サイズ取得手段３２Ｂは、検出されるズーム状態および投射距離に基づいて、メインメモリ３１に記憶された投射画像サイズ情報にて関連付けられた投射画像のサイズを取得する。
なお、本実施形態では、メインメモリ３１に記憶された投射画像サイズ情報は、ズームレンズ２６により調整されるズーム状態および距離検出装置４により検出される投射距離と、スクリーンＳｃに表示される投射画像のサイズとが関連付けられている。
【００５５】
次に、プロジェクタ１Ｂの画像補正方法について、図７を参照して説明する。
図７は、プロジェクタ１Ｂの画像補正方法を示すフローチャートである。
まず、プロジェクタ１Ｂの使用者により、操作手段の操作ボタン等が操作され、スクリーンＳｃに表示される画像のズーム状態が調整されると、ズームレンズ２６は、鏡筒内を光軸に対して進退する（ステップＳ２１）。
ズームレンズ２６が進退すると、画像サイズ取得手段３２Ｂは、ズーム検出装置２８および距離検出装置４に、ズーム状態および投射距離を検出させる（ステップＳ２２：ズーム検出ステップ）。
【００５６】
ズーム状態および投射距離が検出されると、画像サイズ取得手段３２Ｂは、このズーム状態および投射距離に基づいて、メインメモリ３１に記憶された投射画像サイズ情報にて関連付けられた投射画像のサイズを取得する（ステップＳ２３）。
そして、プロジェクタ１Ｂは、プロジェクタ１と同様にステップＳ４〜Ｓ６を実行する。
以上の各ステップを実行することにより、プロジェクタ１Ｂは、適切な状態でスクリーンＳｃに画像を表示することができる。
【００５７】
このような本実施形態においても、前記第１実施形態の（１）、（３）、（４）と同様の作用、効果を得ることができる他、以下の作用、効果を奏することができる。
すなわち、プロジェクタ１Ｂは、距離検出装置４を備えるので、投射光学装置２３からスクリーンＳｃまでの投射距離を検出することができる。これにより、プロジェクタ１Ｂと、スクリーンＳｃとの位置関係が固定されていないような場合であっても、投射画像のサイズを検出することができる。したがって、エッジ補正手段は、投射画像のサイズに応じて画像データにおけるエッジ部分を補正することができるので、全体としてバランスが取れた適切な状態でスクリーンＳｃに投射画像を表示することができる。
【００５８】
〔第４実施形態〕
本発明の第４実施形態に係るプロジェクタ１Ｃについて説明する。
前記第３実施形態に係るプロジェクタ１Ｂでは、画像サイズ取得手段３２Ｂは、ズームレンズ２６により調整されるズーム状態および距離検出装置４により検出される投射距離に基づいて投射画像のサイズを取得していた。
これに対して、本実施形態に係るプロジェクタ１Ｃでは、図７に示すように、撮像装置５と、画像サイズ算出手段３７とを備え、撮像装置５により撮像される撮像画像に基づいて投射画像のサイズを算出している点で異なる。
【００５９】
図７は、プロジェクタ１Ｃの概略構成を示すブロック図である。
撮像装置５は、制御装置３により制御可能なＣＣＤ（Charge Coupled Device）カメラにより構成され、投射光学装置２３の投射方向、すなわち、スクリーンＳｃに表示される投射画像を撮像可能な位置に設けられている。なお、ＣＣＤカメラに限らず、例えば、ＣＭＯＳ（Complementary Metal Oxide Semiconductor）カメラなどを採用してもよい。
【００６０】
画像サイズ算出手段３７は、撮像装置５により撮像される撮像画像に基づいて投射画像のサイズを算出するものである。
ここで、図８は、画像サイズ算出手段３７による投射画像のサイズ算出方法の原理を示す図である。
図８において左側の図は、投射光学装置２３により拡大投射される光学像の光路と、この光路上に配置されるスクリーンＳｃの位置とを示している。なお、図８では、投射光学装置２３からスクリーンＳｃまでの投射距離を、遠距離（図８（Ａ））、中距離（図８（Ｂ））、近距離（図８（Ｃ））として例示する。
また、図８において右側の図は、各距離において撮像装置５により撮像される撮像画像Ｉｍを示している。
【００６１】
例えば、画像処理手段３４に、同一色のパターンで構成された画像データ信号を入力し、画像投射装置２に、このパターンに基づく光学像を拡大投射させると、図８に示すように、スクリーンＳｃに投射画像が表示される。このとき、撮像装置５により撮像される撮像画像Ｉｍにおいて、スクリーンＳｃに表示される投射画像に対応する対応画像Ｓの中心位置Ｐは、投射光学装置２３からスクリーンＳｃまでの投射距離が離れているほど撮像画像Ｉｍの中心位置Ｃに近づく。
具体的には、図８（Ｃ）において撮像される撮像画像ＩｍにおけるＣＰ間の距離よりも図８（Ｂ）において撮像される撮像画像ＩｍにおけるＣＰ間の距離の方が短くなる。また、図８（Ｂ）において撮像される撮像画像ＩｍにおけるＣＰ間の距離よりも図８（Ａ）において撮像される撮像画像ＩｍにおけるＣＰ間の距離の方が短くなる。
ここで、このＣＰ間の距離と、投射光学装置２３からスクリーンＳｃまでの投射距離とは比例関係にある。
【００６２】
前述した原理に基づいて、投射画像のサイズを算出するために、画像サイズ算出手段３７は、図７に示すように、対応画像認識部３７１と、中心位置算出部３７２と、偏差算出部３７３と、距離検出部３７４と、面積算出部３７５と、サイズ算出部３７６とを備える。
対応画像認識部３７１は、撮像装置５により撮像される撮像画像Ｉｍにおいて、スクリーンＳｃに表示される投射画像に対応する対応画像Ｓを認識する。具体的には、撮像画像Ｉｍに対して２値化処理およびラベリング処理の画像処理を実施することにより、撮像画像Ｉｍから対応画像Ｓを切り出す。
中心位置算出部３７２は、対応画像Ｓの中心位置Ｐを算出する。
【００６３】
偏差算出部３７３は、撮像画像Ｉｍ全体の中心位置Ｃと、中心位置算出部３７２により算出される対応画像Ｓの中心位置Ｐとの偏差、すなわち、ＣＰ間の距離を算出する。
距離検出部３７４は、偏差算出部３７３により算出される偏差に基づいて、投射光学装置２３からスクリーンＳｃまでの投射距離を検出する。
なお、本実施形態では、偏差算出部３７３により算出される偏差と、投射光学装置２３からスクリーンＳｃまでの投射距離が関連付けられてメインメモリ３１に記憶されている。
【００６４】
面積算出部３７５は、対応画像Ｓの面積を算出する。具体的には、対応画像認識部３７１により切り出された対応画像Ｓの画素数を算出する。
サイズ算出部３７６は、距離検出部３７４により検出される投射距離と、面積算出部３７５により算出される対応画像Ｓの面積とに基づいて投射画像のサイズを算出する。具体的には、距離検出部３７４により投射距離が検出されると、この投射距離により、撮像画像Ｉｍにおける１画素あたりのサイズを算出することができる。したがって、対応画像Ｓの面積に、１画素あたりのサイズを掛け合わせれば、投射画像のサイズを算出することができる。
なお、本実施形態では、投射光学装置２３からスクリーンＳｃまでの投射距離と、撮像画像Ｉｍにおける１画素あたりのサイズが関連付けられてメインメモリ３１に記憶されている。
【００６５】
次に、プロジェクタ１Ｃの画像補正方法について、図９を参照して説明する。
図９は、プロジェクタ１Ｃの画像補正方法を示すフローチャートである。
プロジェクタ１Ｃの使用者により、操作手段の操作ボタン等が操作され、メニュー画面等から本発明の画像補正方法を実施する旨の設定が行われた場合には、プロジェクタ１Ｃは、以下のステップＳ３１〜Ｓ３２，Ｓ４〜Ｓ６を実行する。
まず、画像サイズ算出手段３７は、画像処理手段３４に、同一色のパターンで構成された画像データ信号を入力し、画像投射装置２に、このパターンに基づく光学像を拡大投射させる。これにより、スクリーンＳｃに投射画像が表示される。そして、画像サイズ算出手段３７は、撮像装置５に、スクリーンＳｃに表示される投射画像を撮像させて撮像画像Ｉｍを取得する（ステップＳ３１：撮像ステップ）。
【００６６】
撮像画像Ｉｍが取得されると、画像サイズ算出手段３７は、撮像画像Ｉｍに基づいて投射画像のサイズを算出する（ステップＳ３２：画像サイズ算出ステップ）。
ここで、ステップＳ３２は、以下のステップＳ３２１〜Ｓ３２６を実行する。
対応画像認識部３７１は、この撮像画像Ｉｍにおいて、スクリーンＳｃに表示される投射画像に対応する対応画像Ｓを認識する（ステップＳ３２１）。
対応画像認識部３７１により対応画像Ｓが認識されると、中心位置算出部３７２は、対応画像Ｓの中心位置Ｐを算出する（ステップＳ３２２）。
【００６７】
対応画像Ｓの中心位置が算出されると、偏差算出部３７３は、撮像画像全体Ｉｍの中心位置Ｐと、中心位置算出部３７２により算出される対応画像Ｓの中心位置Ｐとの偏差を算出する（ステップＳ３２３）。
偏差算出部３７３により偏差が算出されると、距離検出部３７４は、この偏差に基づいて、投射光学装置２３からスクリーンＳｃまでの投射距離を検出する（ステップＳ３２４）。
投射距離が検出されると、面積算出部３７５は、対応画像Ｓの面積を算出する（ステップＳ３２５）。
対応画像Ｓの面積が算出されると、サイズ算出部３７６は、距離検出部３７４により検出される投射距離と、面積算出部３７５により算出される対応画像Ｓの面積とに基づいて投射画像のサイズを算出する（ステップＳ３２６）。
【００６８】
画像サイズ算出手段３７により投射画像のサイズが算出されると、プロジェクタ１Ｃは、プロジェクタ１と同様にステップＳ４〜Ｓ６を実行する。
以上の各ステップを実行することにより、プロジェクタ１Ｃは、適切な状態でスクリーンＳｃに画像を表示することができる。
【００６９】
このような本実施形態においても、前記第１実施形態の（１）、（３）、（４）と同様の作用、効果を得ることができる他、以下の作用、効果を奏することができる。
すなわち、画像サイズ算出手段３７は、撮像装置５により撮像される撮像画像Ｉｍに基づいて投射画像のサイズを算出するので、プロジェクタ１Ｃと、スクリーンＳｃとの位置関係が固定されていないような場合であっても、投射画像のサイズを検出することができる。したがって、エッジ補正手段は、投射画像のサイズに応じて画像データにおけるエッジ部分を補正することができるので、全体としてバランスが取れた適切な状態でスクリーンＳｃに投射画像を表示することができる。
【００７０】
〔実施形態の変形〕
なお、本発明は前記実施形態に限定されるものではなく、本発明の目的を達成できる範囲での変形、改良等は本発明に含まれるものである。
前記第１実施形態および第２実施形態では、エッジ補正手段は、ズーム状態およびフォーカス状態に応じて画像データにおけるエッジ部分を補正していたが、ズーム状態のみに応じて補正してもよい。要するに、エッジ補正手段は、ズーム状態に応じて画像情報におけるエッジ部分を補正すればよい。
前記各実施形態では、エッジ強調フィルタまたは平滑化フィルタの定数は、投射画像のサイズに基づいて、メインメモリ３１に記憶されたエッジ強調フィルタ定数情報または平滑化フィルタ定数情報にて関連付けられた定数を取得していたが、例えば、投射画像のサイズに基づく関数などを用いて定数を算出するようにしてもよい。要するに、各フィルタの定数を、投射画像のサイズに応じて変更することができればよい。
【００７１】
前記各実施形態では、エッジ強調フィルタまたは平滑化フィルタを単独で用いていたが、例えば、投射画像のサイズが所定の大きさよりも大きい範囲においてエッジ強調フィルタを使用し、所定の大きさよりも小さい範囲で平滑化フィルタを使用するようにしてもよい。要するに、投射画像のサイズに応じて画像情報におけるエッジ部分を補正することができればよい。
前記各実施形態では、光量調整装置としてランプドライバ２５を採用していたが、例えば、光源装置から射出される光の光量を減光する絞り等を採用してもよく、要するに、光量調整装置は、光源装置から射出される光の光量を調整することができればよい。さらには、プロジェクタは、光量調整装置および光量制御手段を備えていなくてもよく、要するに、全体としてバランスの取れた適切な状態でスクリーンに画像を表示することができればよい。
【００７２】
前記第４実施形態では、画像サイズ算出手段３７は、画像処理手段３４に、同一色のパターンで構成された画像データ信号を入力し、画像投射装置２に、この同一色のパターンに基づく光学像を拡大投射させていたが、例えば、同一色の背景画像の中心位置に、背景画像とは異なる色の矩形状等の領域を設けたパターンで構成された画像データ信号を入力してもよい。パターンの構成によっては、投射画像の認識を容易にすることができる。
前記第４実施形態では、画像サイズ算出手段３７は、対応画像認識部３７１と、中心位置算出部３７２と、偏差算出部３７３と、距離検出部３７４と、面積算出部３７５と、サイズ算出部３７６とを備えていたが、これ以外の構成により画像サイズを算出してもよい。例えば、前記第３実施形態における距離検出装置４を併せて採用することにより、中心位置算出部３７２、偏差算出部３７３、および距離検出部３７４を省略してもよく、要するに、撮像画像に基づいて投射画像のサイズを算出することができればよい。
【００７３】
前記各実施形態では、透過型の液晶パネル２２を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
前記各実施形態では、液晶パネル２２を３枚設けた構成としていたが、これに限らず、１枚のみの液晶パネル２２を設ける構成、２枚の液晶パネル２２を設ける構成、４枚以上の液晶パネル２２を設ける構成としてもよい。
【産業上の利用可能性】
【００７４】
本発明は、プロジェクタに利用でき、特に投射画像のサイズを変更可能なプロジェクタに好適に利用することができる。
【図面の簡単な説明】
【００７５】
【図１】本発明の第１実施形態に係るプロジェクタの概略構成を示すブロック図。
【図２】前記実施形態に係るプロジェクタの画像補正方法を示すフローチャート。
【図３】本発明の第２実施形態に係るプロジェクタの概略構成を示すブロック図。
【図４】前記実施形態に係るプロジェクタの画像補正方法を示すフローチャート。
【図５】本発明の第３実施形態に係るプロジェクタの概略構成を示すブロック図。
【図６】前記実施形態に係るプロジェクタの画像補正方法を示すフローチャート。
【図７】本発明の第４実施形態に係るプロジェクタの概略構成を示すブロック図。
【図８】前記実施形態に係る画像サイズ算出手段による投射画像のサイズ算出方法の原理を示す図。
【図９】前記実施形態に係るプロジェクタの画像補正方法を示すフローチャート。
【符号の説明】
【００７６】
１，１Ａ，１Ｂ，１Ｃ…プロジェクタ、３…制御装置、４…距離検出装置、５…撮像装置、２１…光源装置、２２…液晶パネル（光変調装置）、２３…投射光学装置、２５…ランプドライバ（光量調整装置）、２６…ズームレンズ（ズーム調整装置）、２７…フォーカスレンズ（フォーカス調整装置）、２８…ズーム検出装置、２９…フォーカス検出装置、３３…エッジ強調フィルタ生成手段（エッジ補正手段）、３５…光量制御手段、３６…平滑化フィルタ生成手段（エッジ補正手段）、３４２，３４２Ａ…画質調整部（エッジ補正手段）、３７１…対応画像認識部、３７２…中心位置算出部、３７３…偏差算出部、３７４…距離検出部、３７５…面積算出部、３７６…サイズ算出部、Ｓ４，Ｓ５，Ｓ１４，Ｓ１５…エッジ補正ステップ、Ｓ２，Ｓ２２…ズーム検出ステップ、Ｓ３１…撮像ステップ、Ｓ３２…画像サイズ算出ステップ、Ｓｃ…スクリーン。
【図１】
2008205814.tif 000003
【図２】
2008205814.tif 000004
【図３】
2008205814.tif 000005
【図４】
2008205814.tif 000006
【図５】
2008205814.tif 000007
【図６】
2008205814.tif 000008
【図７】
2008205814.tif 000009
【図８】
2008205814.tif 000010
【図９】
2008205814.tif 000011